(57)【要約】【課題】揺動棚における脱穀処理物の層厚を均等にして良好な選別作用が行われるものとし、穀粒の機外排出を無くする。【解決手段】刈取装置（６）で刈り取った穀稈の穂先側を脱穀装置（１５）の扱室（６６）に供給する搬送装置（９）と、扱室（６６）で脱穀された脱穀処理物を選別する揺動棚（５１）を備えた自脱型コンバインにおいて、搬送装置（９）によって扱室（６６）に供給される穀稈の穂先位置を検出する穂先検出センサ（１０）を設け、該穂先検出センサ（１０）によって検出される穀稈の穂先位置が適正位置から外れて株元側或いは穂先側に寄り過ぎた状態が所定時間にわたって継続した場合に、揺動棚（５１）上に設けた拡散ガイド（８８）の脱穀処理物の移送方向に対する傾斜姿勢を変更して揺動棚（５１）上を移送される脱穀処理物の層厚を均等にする構成とする。【選択図】図５
2018183076.tif 000002
【特許請求の範囲】
【請求項１】
刈取装置（６）で刈り取った穀稈の穂先側を脱穀装置（１５）の扱室（６６）に供給する搬送装置（９）と、前記扱室（６６）で脱穀された脱穀処理物を選別する揺動棚（５１）を備えた自脱型コンバインにおいて、
前記搬送装置（９）によって扱室（６６）に供給される穀稈の穂先位置を検出する穂先検出センサ（１０）を設け、該穂先検出センサ（１０）によって検出される穀稈の穂先位置が適正位置から外れて株元側或いは穂先側に寄り過ぎた状態が所定時間にわたって継続した場合に、前記揺動棚（５１）上に設けた拡散ガイド（８８）の脱穀処理物の移送方向に対する傾斜姿勢を変更して前記揺動棚（５１）上を移送される脱穀処理物の層厚を均等にする構成としたことを特徴とする自脱型コンバイン。
【請求項２】
前記穂先検出センサ（１０）によって穀稈の穂先位置の株元側への寄り過ぎ状態が所定時間にわたって検出された場合に、前記拡散ガイド（８８）の傾斜姿勢が脱穀処理物を穂先側に寄せる姿勢に制御される構成とした請求項１に記載の自脱型コンバイン。
【請求項３】
前記穂先検出センサ（１０）によって穀稈の穂先位置の穂先側への寄り過ぎ状態が所定時間にわたって検出された場合に、前記拡散ガイド（８８）の傾斜姿勢が脱穀処理物を株元側に寄せる姿勢に制御される構成とした請求項１に記載の自脱型コンバイン。
【発明の詳細な説明】
【技術分野】
【０００１】
本発明は、自脱型コンバインに関する。
【背景技術】
【０００２】
自脱型コンバインは、圃場に植生する穀稈を株元から刈り取ってその穀稈を搬送装置で脱穀装置に搬送し、脱穀装置で脱穀した脱穀物から穀粒を選別してグレンタンクに貯留しながら収穫作業を行う。刈取穀稈は、搬送装置で搬送される途中に穂先位置が脱穀装置への適正供給位置となるように調整されることで、扱胴と扱網による脱穀と揺動選別棚での穀粒選別が良好に行われるようになっている。
【０００３】
また、特許文献１に記載の汎用コンバインには、刈取穀稈を全量脱穀装置に投入して脱穀し、脱穀装置の下部に設ける選別装置で穀粒を選別する構成で、機体が左右に傾いていると、選別装置の移送棚上に設ける可動式選別物案内体の左右傾きを調整して、移送棚上の脱穀物を左右方向に均等に拡散することで選別を良好にする技術が記載されている。
【先行技術文献】
【特許文献】
【０００４】
【特許文献１】特開２００６−７５０６９号公報
【発明の概要】
【発明が解決しようとする課題】
【０００５】
自脱型コンバインでは、刈り取った穀稈を搬送する搬送装置で脱穀装置に供給する穀稈の穂先位置を調整するが、穀稈が極端に短い場合は穂先位置が適正供給位置にならないままで脱穀装置に供給されるようになって、脱穀室の下部に設ける揺動選別棚への脱穀物供給が株元側に偏って選別が悪くなり藁屑と共に穀粒が機外に多く排出されるようになるという問題がある。
【０００６】
本発明は、刈取穀稈を搬送装置で脱穀装置に供給して脱穀選別する自脱型コンバインにおいて、脱穀装置に供給される穀稈の穂先位置が適正位置にならず株元側や穂先側に偏ったままであっても、脱穀装置の揺動選別棚へ供給される脱穀処理物の堆積厚さを均等にして良好な選別作用が行われて穀粒排出を無くすることを目的とする。
【課題を解決するための手段】
【０００７】
上記従来の課題は、次の技術手段により解決される。
【０００８】
請求項１の発明は、刈取装置（６）で刈り取った穀稈の穂先側を脱穀装置（１５）の扱室（６６）に供給する搬送装置（９）と、前記扱室（６６）で脱穀された脱穀処理物を選別する揺動棚（５１）を備えた自脱型コンバインにおいて、
前記搬送装置（９）によって扱室（６６）に供給される穀稈の穂先位置を検出する穂先検出センサ（１０）を設け、該穂先検出センサ（１０）によって検出される穀稈の穂先位置が適正位置から外れて株元側或いは穂先側に寄り過ぎた状態が所定時間にわたって継続した場合に、前記揺動棚（５１）上に設けた拡散ガイド（８８）の脱穀処理物の移送方向に対する傾斜姿勢を変更して前記揺動棚（５１）上を移送される脱穀処理物の層厚を均等にする構成としたことを特徴とする自脱型コンバインとする。
【０００９】
請求項２の発明は、前記穂先検出センサ（１０）によって穀稈の穂先位置の株元側への寄り過ぎ状態が所定時間にわたって検出された場合に、前記拡散ガイド（８８）の傾斜姿勢が脱穀処理物を穂先側に寄せる姿勢に制御される構成とした請求項１に記載の自脱型コンバインとする。
【００１０】
請求項３の発明は、前記穂先検出センサ（１０）によって穀稈の穂先位置の穂先側への寄り過ぎ状態が所定時間にわたって検出された場合に、前記拡散ガイド（８８）の傾斜姿勢が脱穀処理物を株元側に寄せる姿勢に制御される構成とした請求項１に記載の自脱型コンバインとする。
【発明の効果】
【００１１】
請求項１に記載の発明によれば、穂先検出センサ１０で検出される刈取穀稈の穂先位置が株元側や穂先側に偏っている場合状態が所定時間にわたって継続した場合に、揺動棚５１上に設けた拡散ガイド８８の脱穀処理物の移送方向に対する傾斜姿勢を変更して、揺動棚５１上を移送される脱穀処理物の層厚を均等にするので、穀粒の選別が良好に行われ、穀粒の機外への排出が減少する。
【００１２】
請求項２に記載の発明によれば、上記請求項１に記載の発明の効果を奏するうえで、穂先検出センサ１０によって穀稈の穂先位置の株元側への寄り過ぎ状態が所定時間にわたって検出された場合に、揺動棚５１上における株元側の部位に多く堆積する脱穀処理物を拡散ガイド８８で穂先側に寄せることで、揺動棚５１上の脱穀処理物の堆積を株元側の部位から穂先側の部位まで均等になり、穀粒の選別が良好に行われる。
【００１３】
請求項３に記載の発明によれば、上記請求項１に記載の発明の効果を奏するうえで、穂先検出センサ１０によって穀稈の穂先位置の穂先側への寄り過ぎ状態が所定時間にわたって検出された場合に、揺動棚５１上における穂先側の部位に多く堆積する脱穀処理物を拡散ガイド８８で株元側に寄せることで、揺動棚５１上の脱穀処理物の堆積を株元側の部位から穂先側の部位まで均等にして、穀粒の選別が良好に行われる。
【図面の簡単な説明】
【００１４】
【図１】本発明実施例のコンバインの右側面図である。
【図２】同コンバインの平面図である。
【図３】同コンバインの脱穀装置の側断面図である。
【図４】別実施例の脱穀装置の拡大側断面図である。
【図５】同コンバインの選別室の拡大平断面図である。
【図６】同コンバインの部分拡大平断面図である。
【図７】同コンバインの背断面図である。
【図８】脱穀装置の正断面図である。
【図９】脱穀装置の右側断面図である。
【図１０】扱胴の正断面図である。
【図１１】扱胴の断面位置を変えた正断面図である。
【図１２】角刈り制御の説明用平面図である。
【図１３】角刈り制御の説明用平面図である。
【図１４】角刈り制御の説明用平面図である。
【図１５】角刈り制御のフローチャート図である。
【発明を実施するための形態】
【００１５】
以下、本発明を、図面に示す実施例で説明する。
【００１６】
なお、本実施例ではコンバインの前進方向に向かって前側と後側をそれぞれ前、後といい、左側と右側をそれぞれ左、右ということにする。
【００１７】
図１と図２にコンバイン１の全体図を示しているが、走行フレーム２の下部には、ゴムなどの可撓性材料を素材として無端帯状に成型した左右一対のクローラ４を持ち、乾田はもちろんのこと、湿田においてもクローラ４が若干沈下するだけで自由に走行出来る構成の走行装置３を備え、走行フレーム２の前部には刈取装置６を搭載し、走行フレーム２の上部には図示しないエンジンと脱穀装置１５、操縦席２０およびグレンタンク３０を搭載する。
【００１８】
刈取装置６は、刈取昇降シリンダ（図示せず）の伸縮作用により刈取装置６の全体を昇降して、圃場に植生する穀稈を所定の高さで刈取りができる構成としている。刈取装置６の前端下部に分草具７を、その背後に後傾斜状にした穀稈引起し装置８を、その後方低部には刈刃（図示せず）を配置している。刈刃と脱穀装置１５のフィードチェン１４の始端部との間に、前部搬送装置、扱深さ調節装置、供給搬送装置などの搬送装置９を順次穀稈の受継搬送と脱穀装置１５への扱深さ調節とができるように配置している。
【００１９】
搬送装置９の前部搬送装置には穀稈の穂先を左右に挟んで接触により通過を検出する穂先検出センサ１０を設け、左右両方のセンサが接触を検出すると穂先側に寄り過ぎ、左センサが接触し右センサが非接触であれば適正位置、左右両方のセンサが接触しないと株元側に寄り過ぎ、と判定して扱深さ調節装置を左右に調整して供給搬送装置へ受け渡し、フィードチェン１４に引継いで脱穀装置１５の扱ぎ口に供給するが、扱深さ調節装置の調整範囲で穂先供給位置を修正出来ずに、穂先側に寄り過ぎ或いは株元側に寄り過ぎた状態が所定時間にわたって継続した場合には、後述する揺動棚５１上の拡散ガイド８８の脱穀処理物の移送方向に対する傾斜姿勢を自動的に変更する。
【００２０】
なお、穂先側に寄り過ぎた状態、すなわち深扱ぎ状態が継続すると穀粒の機外排出（収穫ロス）が生じるので、操縦席２０に設けるモニタに警告表示したり、警報を鳴らしたりする構成とすると良い。また、深扱ぎ状態が継続すると脱穀装置１５内で発生する排塵を吸引する吸引ファン９１を高速回転させて吸引力を増すように構成すると良い。
【００２１】
コンバイン１の刈取作業は次のように行われる。まず、エンジンを始動して変速用、操向用などの操作レバー類をコンバイン１が前進するように操作し、刈取・脱穀クラッチ（図示せず）を入り操作して機体の回転各部を駆動しながら、走行フレーム２を前進走行させると、刈取、脱穀作業が開始される。
【００２２】
圃場に植立する穀稈は、刈取装置６の前端下部にある分草具７による分草作用を受け、次いで穀稈引起し装置８の引起し作用によって倒伏状態にあれば直立状態に引起こされ、穀稈の株元に刈刃が達して刈取られ、前部搬送装置に掻込まれて後方に搬送され、扱深さ調節装置、供給搬送装置に受け継がれて順次連続状態で後部上方に搬送される。
【００２３】
穂先供給位置が調節された穀稈は、フィードチェン１４の始端部に受け継がれ、脱穀装置１５の扱ぎ口から穂先側から扱室６６内に供給される。
【００２４】
脱穀装置１５の扱室６６に軸架された扱胴６９は、その表面に多数の扱歯６９ａが設けられており、エンジンからの駆動機構（図示せず）により、図３の矢印Ｂ方向に回転する。扱室６６に挿入された穀粒の付いた穀稈は、移動するフィードチェン１４により図３の矢印Ａ方向に移送されながら、矢印Ｂ方向に回転する扱胴６９の扱歯６９ａと扱網７４との相互作用により脱穀される。穀稈から分離された脱穀処理物は扱網７４を通過して、揺動棚５１で受け止められる。
【００２５】
図８から図１１は、扱胴６９の詳細を示している。
【００２６】
扱胴６９に取り付ける扱歯６９ａは、Ｖ字状線材で同一形状であるが、取付方向を逆にすることで矢印Ｂ方向に回転する扱歯６９ａの前側接線角が鈍角α１であるものと直角α２であるもので構成し、扱歯６９ａの前側が摩耗すると向きを変えて取り付け可能である。
【００２７】
第一実施例としては、扱網７４の内側に円弧状に突出する仕切金７４ａの前後或いは後側を前側接線角が鈍角α１の扱歯６９ａとしその他を接線角が直角α２の扱歯６９ａとすることで、さらには前側接線角が鈍角α１の扱歯６９ａと前側接線角が直角α２の扱歯６９ａを同数とすることで、仕切金７４ａでの穀稈引っ掛りを少なくし他の部分では脱粒効果を発揮する。
【００２８】
第二実施例としては、扱室６６内上部に扱歯６９ａをＵ字状に挟むように設ける切刃７５に挟まれる扱歯６９ａは、前側接線角が鈍角α１の扱歯６９ａとしその他を前側接線角が直角α２の扱歯６９ａとすることで整流効果と脱粒効果を良くする。
【００２９】
第三実施例としては、扱胴６９全体の前側１／３〜１／４程度を前側接線角が鈍角α１の扱歯６９ａとしその他を前側接線角が直角α２の扱歯６９ａとすることで穀稈の穂先量が多い部分で整流効果を良くする。
【００３０】
第四実施例としては、排塵処理室６８への排塵処理室入口６８ａで前側接線角が直角α２の扱歯６９ａとしその他を前側接線角が鈍角α１の扱歯６９ａとして、藁屑を排塵処理室６８に取り込み易くする。
【００３１】
第五実施例としては、第四実施例とは逆に排塵処理室６８への排塵処理室入口６８ａで前側接線角が鈍角α１の扱歯６９ａとしその他を前側接線角が直角α２の扱歯６９ａとして、藁屑の持ち回りを少なくしながら遠心力で藁屑を排塵処理室６８へ送り込むようにする。
【００３２】
第六実施例としては、扱室６６の上部にささり粒回収室７５を設けた構成で、ささり粒回収室７５へのささり粒回収室入口７５ａで前側接線角が鈍角α１の扱歯６９ａとしその他を前側接線角が直角α２の扱歯６９ａとして、遠心力による扱網７４からの漏れ落ちを多くしてささり粒回収を良くする。
【００３３】
第七実施例としては、第六実施例と逆に、ささり粒回収室７５へのささり粒回収室入口７５ａで前側接線角が直角α２の扱歯６９ａとしその他を前側接線角が鈍角α１の扱歯６９ａとして、ささり粒回収を良くする。
【００３４】
第八実施例としては、排塵処理室６８への排塵処理室入口６８ａで前側接線角が直角α２の扱歯６９ａとしその後方のささり粒回収室入口７５ａで前側接線角が鈍角α１の扱歯６９ａとして、排塵の取り込みとささり粒の回収が良くなる。
【００３５】
揺動棚５１上の脱穀処理物は後方へ移動しながら、唐箕７９からの送風を受けて風力選別され、比重の重い穀粒は第１チャフシーブ５３と第２チャフシーブ５４から選別網６３を通過する。
【００３６】
扱網７４は通常網で構成するが、目抜き鉄板としても良く、その後部に設ける目抜き孔の径を大きくしてその大径目抜き孔の下方で穀粒が多く落下する位置に第１チャフシーブ５３を位置するようにしても良い。
【００３７】
揺動棚５１は、扱室６６の扱網７４の下方に配置した移送棚５２とその後方に配置した第１チャフシーブ５３と第２チャフシーブ５４と最後端部に配置した第３チャフシーブ５５及び第１チャフシーブ５３と第２チャフシーブ５４の下方に配置する選別網６３から構成されている。
【００３８】
第１チャフシーブ５３は各シーブ５３ａの間隔が固定で、底面側に後述する前側スクレーパ３４を設けていて、第２チャフシーブ５４は、各シーブ５４ａの間隔を変更可能で、第３チャフシーブ５５は、第１チャフシーブ５３と同様に各シーブ５５ａの間隔が固定にしている。
【００３９】
第１チャフシーブ５３と第２チャフシーブ５４と第３チャフシーブ５５は、揺動しながら各シーブ５３ａ，５４ａ，５５ａ間から脱穀処理物を漏下させ、唐箕７９からの送風により風力選別する点で共通しているが、脱穀処理物の搬送方向前方側の第１チャフシーブ５３の方が後方側にある第２チャフシーブ５４や第３チャフシーブ５５に比べて各シーブ５３ａの大きさが小さく、第１チャフシーブ５３のシーブ間隔Ａ（図３）が第３チャフシーブ５５のシーブ間隔Ｂの約半分程度に狭い構成である。
【００４０】
脱穀処理物の搬送方向前側の第１チャフシーブ５３では脱穀処理物中における単粒の含有率が高いので、藁屑の漏下を抑えながら単粒だけを漏下させ、搬送方向後側の第３チャフシーブ５５では脱穀処理物中における単粒の含有率が低いので、唐箕７９からの送風を良くして、藁屑をより後方へ移送するためにこのような構成としている。
【００４１】
また、移送棚５２と第１チャフシーブ５３の上方に、移送棚５２の右前側へ供給される二番処理物を移送棚５２と第１チャフシーブ５３上で右前から左後方へ拡散させる拡散ガイド８８を設けている。
【００４２】
拡散ガイド８８は、移送棚５２の底面側に装着した制御モータ（図示省略）の垂直モータ軸８９に取り付け、この垂直モータ軸８９の回動によって、拡散ガイド８８の垂直ガイド面を、移送棚５２上の脱穀処理物の移送方向に対して左右方向へ傾斜角変更可能な構成とする。前記穂先検出センサ１０によって、穂先側に寄り過ぎた状態が所定時間以上にわたって検出されると、拡散ガイド８８の垂直ガイド面を左側へ傾斜させて脱穀処理物の株元側へのガイド量を増加させ、穂先検出センサ１０によって、株元側に寄り過ぎた状態が所定時間以上にわたって検出されると、拡散ガイド８８の垂直ガイド面を左側へ傾斜させて脱穀処理物の株元側へのガイド量を減少させて、脱穀処理物の層厚を左右方向で均等にする。
【００４３】
なお、拡散ガイド８８を伸縮可能にして、穂先検出センサ１０によって穂先側に寄り過ぎた状態が所定時間以上にわたって検出されると、拡散ガイド８８を伸長させて株元側への脱穀処理物のガイド量を多くし、穂先検出センサ１０によって株元側に寄り過ぎた状態が所定時間以上にわたって検出されると、拡散ガイド８８を短縮して株元側へのガイド量を少なくして、脱穀処理物の層厚を左右方向で均等にする構成とすることも考えられる。
【００４４】
図示を省略するが、移送棚５２の上側における左右両側の脱穀壁に、移送棚５２上の塵埃を吸引する吸引ファンの吸引口をそれぞれ設け、穂先検出センサ１０によって株元側に寄り過ぎた状態が所定時間以上にわたって検出されると、左側の吸引ファンの吸引風量を多くして、移送棚５２上の脱穀処理物を左側すなわち穂先側に寄せるように構成することも考えられる。
【００４５】
そして、第１チャフシーブ５３の前方に配置されている移送棚５２は扱胴６９の下方に配置して扱網７４から落下する脱穀処理物と共に二番処理胴７０から排出する二番処理物を受け止め得る構成になっている。
【００４６】
また、移送棚５２の上方に拡散ガイド８８の板面と直交する方向にセンサ支軸２５を設け、このセンサ支軸２５に前側を円弧状に膨らませた接触子４４ａを斜め後方へ向かって下り傾斜に吊り下げて固着している。接触子４４ａは、ピンで後方へ向かって約３０°下り傾斜した姿勢から上方の支点越え位置まで回動するようにして、このセンサ支軸２５の回動を層厚センサ４３で検出して移送棚５２上の脱穀処理物の厚みを検出する。
【００４７】
第１チャフシーブ５３は、板状のシーブ５３ａを後方に向かって登り傾斜に配列したもので、各シーブ５３ａの裏側に当接する前側スクレーパ３４をスクレーパ支持アーム３６に設けている。各スクレーパ支持アーム３６はシーブ５３ａの下側に横方向４列で、シーブ５３ａの底面側に設ける連結杆３７で一体に連結している。スクレーパ支持アーム３６の一つを前後方向に設ける揺動アーム３１に枢支軸３２で連結し、揺動アーム３１の前端を縦支軸３３に枢支し、揺動アーム３１の前端で左右に張り出す駆動アーム３８の両端部にワイヤ３９，４０を連結し、該ワイヤ３９，４０を駆動モータ（図示せず）に連結して、駆動モータで揺動アーム３１を左右に揺動して前側スクレーパ３４がシーブ３５に付着する藁屑等を掻き落とすようにしている。
【００４８】
第３チャフシーブ５５は、板状のシーブ５５ａを後方に向かって登り傾斜に配列したもので、各シーブ５５ａの裏側に当接する後側スクレーパ５６をスクレーパ支持アーム５７に設けている。各スクレーパ支持アーム５７はシーブ５５ａの下側に横方向４列で、シーブ５５ａの底面側に設ける連結杆５８で一体に連結している。スクレーパ支持アーム５７の一つを前後方向に設ける揺動アーム５９に枢支軸６０で連結し、揺動アーム５９の前端を縦支軸４９に枢支し、揺動アーム５９の前端で左右に張り出す駆動アーム４８の両端部にワイヤ６１，６２を連結し、該ワイヤ６１，６２を駆動モータ（図示せず）に連結して、駆動モータで揺動アーム５９を左右に揺動して後側スクレーパ５６がシーブ５５ａに付着する藁屑等を掻き落とすようにしている。
【００４９】
第１チャフシーブ５３の前側スクレーパ３４は、第３チャフシーブ５５の後側スクレーパ５６よりも速く往復動作することで処理量が多くて付着する藁屑等を均等に掻き落とすようにしている。
【００５０】
第１チャフシーブ５３と第３チャフシーブ５５の駆動モータは、前記層厚センサ４３が移送棚５２上の脱穀処理物の厚みが一定以上を検出することで、駆動するようにすることで、第１チャフシーブ５３と第３チャフシーブ５５の詰まりを無くして選別機能の低下を防ぐ。
【００５１】
また、第１チャフシーブ５３と第３チャフシーブ５５の駆動モータは、前記層厚センサ４３が移送棚５２上の脱穀処理物の厚みが一定以上を検出することで、駆動するようにすることで、第１チャフシーブ５３と第３チャフシーブ５５の詰まりを無くして選別機能の低下を防ぐ。第１チャフシーブ５３側の駆動モータが作動する脱穀処理物の厚みと第３チャフシーブ５５の駆動モータが作動する脱穀処理物の厚みを異ならせても良い。
【００５２】
なお、一番揚穀筒に穀粒の水分率を検出する穀粒水分センサを設け、水分率が高い場合は、層厚センサ４３の出力を見ることなく短時間で第１チャフシーブ５３と第３チャフシーブ５５の駆動モータを駆動して、藁屑等を掻き落とすようにしても良い。
【００５３】
また、唐箕７９の吹き出し口に設けるツインフラッパ７８が動き始める際に第１チャフシーブ５３の駆動モータを駆動するようにし、ツインフラッパ７８が止まる際に第３チャフシーブ５５の駆動モータを駆動するようにして処理量の増加に対応するようにしても良い。
【００５４】
また、可動の第２チャフシーブ５４がシーブ間隔を開くタイミングで第１チャフシーブ５３と第３チャフシーブ５５の駆動モータを駆動するようにしたりシーブ間隔の開き具合によって駆動速度を変更したりしても良い。
【００５５】
図４には、第３チャフシーブ５５に選別風を送る第２ファン４７と風向板４６を設ける構成を示し、第３チャフシーブ５５に送る選別風を特に強くして藁屑等の付着を少なくしている。風向板４６は脱穀量によって第３チャフシーブ５５に送る選別風の強さを変更する。
【００５６】
また、揺動棚５１は図示しない揺動棚駆動機構の作動により上下前後方向に揺動するので、脱穀処理物は矢印Ｄ方向（図４）に移動しながら、揺動棚５１上に漏下した比重の重い穀粒は選別網６３を矢印Ｅ方向に通過し、一番棚板６４で集積され、一番螺旋６５から一番揚穀筒２８（図５）を経てグレンタンク３０へ搬送される。グレンタンク３０に貯留された穀粒は、縦オーガ１８と横オーガ１９（図２）を経由してコンバイン１の外部へ搬送される。
【００５７】
揺動棚５１の上の脱穀処理物のうち軽量のものは、揺動棚５１の揺動作用と唐箕７９のファン７９ａによる送風に吹き飛ばされて揺動棚５１から第１チャフシーブ５３から第２チャフシーブ５４に向けて矢印Ｄ方向に移動し、第３チャフシーブ５５の上で大きさの小さい二番穀粒は矢印Ｇ方向に漏下して二番棚板８５に集められ、二番螺旋８６で二番揚穀筒（図示省略）へ搬送される。
【００５８】
二番穀粒は、正常な穀粒、枝梗粒、藁屑および藁屑の中に正常な穀粒が刺さっているササリ粒などの混合物であり、二番揚穀筒の中を二番揚穀筒螺旋により揚送されて、二番処理室入口から二番処理室６７の上方へ放出される。
【００５９】
二番処理室６７の下部に軸架する二番処理胴７０はエンジンからの動力を伝動する駆動機構で図４の矢印Ｊ方向に回転する。二番穀粒は二番処理胴７０に植設してある多数の処理歯７０ａに衝突しながら矢印Ｉ方向に進行する間に二番穀粒の分離と枝梗粒の枝梗の除去を行い、脱穀処理物の一部は二番処理胴７０の下方に設けられた受網（図示せず）を通り抜けて選別室５０へ直接漏下する。二番処理室６７に供給された脱穀処理物の大部分は二番処理胴７０の前端部まで送られて移送棚５２へ排出されて、再び第１チャフシーブ５３、第２チャフシーブ５４方向に送られ、穀粒は第１チャフシーブ５３、第２チャフシーブ５４と選別網６３を通り、一番螺旋６５に集められる。
【００６０】
このように二番物を回収して移送棚５２上に再び送り、第１チャフシーブ５３、第２チャフシーブ５４による再処理をすることにより、穀粒と藁屑との分離が良好になる。
【００６１】
なお、二番処理胴７０の下方に第１チャフシーブ５３が位置する場合は、脱穀処理物の落下が集中する位置に前側スクレーパ３４が作用することで詰まりを無くすることが出来る。
【００６２】
また、選別網６３の前や中間部や後部に自動スクレーパ付きの第四チャフシーブを設けると良い。第四チャフシーブは平板でなく丸棒や多角形棒で構成しても良い。自動スクレーパは可変速モータで脱穀処理物が多いと左右スクレープ動を増速したり脱穀装置１５のオンオフに連動するようにしても良い。
【００６３】
また、自動スクレーパはコンバインの走行速度一定以下になったり、刈取装置６を上昇させたりした時、搬送装置９の穀稈センサがオフに代わって一定時間だけ左右スクレープ動を増速させても良い。
【００６４】
フィードチェン１４に挟持された穀稈は、扱室６６を図６の矢印Ａ方向に進行して脱穀されて扱室６６の終端に到達した後に、図６に示す矢印Ａ１方向に搬送され、排藁処理室８２に投入される。
【００６５】
また、扱室６６の扱胴６９終端部側に到達した脱穀処理物の中で、藁屑など短尺のものは、扱室６６の扱胴６９による脱穀処理物の搬送方向終端部と排塵処理室６８の排塵処理胴７１による脱穀処理物の搬送方向始端部とを連通する連通口１０１にある排塵処理室入口６８ａから矢印Ａ２（図４）方向に投入されて、扱室６６からの取り込みを良好にする螺旋７１ｂの作用により排塵処理室６８に入り、排塵処理室６８では回転する排塵処理胴７１の処理歯７１ａにより矢印Ｋ方向（図４）に搬送されながら処理される。なお、排塵処理胴７１の上手側に螺旋７１ｂが設けられ、排塵処理胴７１の下手側に処理歯７１ａが設けられている。排塵処理胴７１の扱室６６側には格子状の排塵処理胴枠７２（図７）が排塵処理胴７１の下側及び扱室６６側の外周に沿って設けられ、排塵処理室６８の濾過体を構成している。
【００６６】
前記排塵処理胴枠７２の後端７２ａは、排塵処理室６８の後端６８ｂ（図３）よりも所定距離だけ前方に配置され、この排塵処理胴枠７２の後端７２ａと排塵処理室６８の後端６８ｂとの間に、排塵処理室６８の後端部に達した脱穀処理物を脱穀装置１５の外部へ排出する第１排塵口１０２を、揺動棚５１上に向かう斜め下方向および後方に向けて開口して設けている。
【００６７】
排塵処理室６８に入った少量の穀粒を含む藁屑を主体とする脱穀処理物の中の漏下物（穀粒）は受け網７６（図３）から揺動棚５１上に漏下し、揺動棚５１に設けられた第３チャフシーブ５５に誘導されて二番棚板８５から二番揚穀筒８７を経由して二番処理室６７に送られる。なお、同軸上にある二番処理胴７０と排塵処理胴７１の駆動は図示しないがエンジンからの駆動力がプーリを介して行われる。
【００６８】
図３に示すように、脱穀装置１５の後部に脱穀処理物を吸引するための吸引ファン９１を設け、排塵処理室６８を含む脱穀装置１５内で発生する排塵のうち、比重の軽い藁屑、枝梗および塵埃を含む空気を吸引ファン９１の回転による吸引風で吸引し、第３排塵口９２から矢印Ｌ方向へ吹き出して、コンバイン１の外部へ放出する。
【００６９】
一方、吸引ファン９１の回転による吸引風で吸引されない脱穀処理物は揺動棚５１の終端部である第３チャフシーブ５５の後端に設けられ、脱穀装置１５の後壁１５ａに形成された第２排塵口１０３からコンバイン１の外部に排出される。
【００７０】
揺動棚５１上を後方へ移送されてきた藁屑で第１チャフシーブ５３と第２チャフシーブ５４や第３チャフシーブ５５の間隙から濾過しないものは、揺動棚５１の揺動や第３チャフシーブ５５の移送作用によって第２排塵口１０３から脱穀装置１５の外部に排出されるが、この藁屑中には穀粒がわずかに含まれることがあり、このように藁屑とともにコンバイン１の外部に排出される穀粒を３番穀粒と言い、３番穀粒が脱穀装置１５の外部に排出されることを３番ロス（３番損失）、３番穀粒の回収ロスなどと言う。
【００７１】
また、排塵処理室６８から揺動棚５１の終端部に矢印Ｍ（図３）のように落ちた排塵（排塵物）のうち二番穀粒、３番穀粒など小径で比重の重いものは、揺動棚５１の終端部の第３チャフシーブ５５あるいは第２チャフシーブ５４を矢印Ｇ方向へ通過して二番棚板８５に漏下し、再び二番処理室６７において処理される。
【００７２】
脱穀装置１５の扱室６６の終端に到達して脱穀された穀稈は、排藁チェーン８０ａ（図６）および排藁穂先チェーン８０ｂに挟持されて搬送され、脱穀装置１５の後部の排藁処理室８２に投入される。排藁処理室８２内には排藁カッター刃８１ａ、８１ｂが設けられており、排藁カッター刃８１ａ、８１ｂにより切断された排藁は、排藁カッター刃８１ａ、８１ｂの下方であって、排藁処理室８２の前壁部に基部が支持され、後方下り傾斜に設けられた板状の切断藁ガイド９６（図３）により案内されて圃場に放出される。
【００７３】
次に、コンバイン１の操縦席２０近傍に設ける角刈り制御ボタンについて説明する。
角刈り制御ボタンは、フィードチェン１４の搬送速度を一時的に通常の搬送速度よりも速くするボタンで、圃場の際を直線で刈り取る場合に、図１２の位置Ｐ１でボタンを押すとフィードチェン１４の搬送速度が速くなることで排藁処理室８２から排出される排藁の量が多くなり、一時的に図１３の位置Ｐ２まで圃場への排藁散布密度が高くなりその後に排藁散布密度が低くなる部分が発生し、その後に通常の排藁散布密度となって圃場端Ｐ３まで刈取を進行する。角刈り制御ボタンをオンした位置Ｐ１から圃場端Ｐ３までの移動距離を速度と時間で算出してその距離を後進するが、後進距離は位置Ｐ１から圃場端Ｐ３までの移動距離と同じとして、位置Ｐ１まで後退したことをランプやブザーで作業者に知らせ、位置Ｐ１に戻るとコンバイン１を穀稈の植生する圃場内へ向けて方向変換して刈りこみ走行を開始する（図１５のフローチャート作業）。すると、刈りこみ走行時に排藁散布密度が低い位置で刈取装置６の分草具７が作用することになって、排藁が分草作用に邪魔にならずに刈取を開始出来る。
【符号の説明】
【００７４】
６  刈取装置
９  搬送装置
１０  穂先検出センサ
１５  脱穀装置
５１  揺動棚
６６  扱室
６９  扱胴
８８  拡散ガイド
【図１】
2018183076.tif 000003
【図２】
2018183076.tif 000004
【図３】
2018183076.tif 000005
【図４】
2018183076.tif 000006
【図５】
2018183076.tif 000007
【図６】
2018183076.tif 000008
【図７】
2018183076.tif 000009
【図８】
2018183076.tif 000010
【図９】
2018183076.tif 000011
【図１０】
2018183076.tif 000012
【図１１】
2018183076.tif 000013
【図１２】
2018183076.tif 000014
【図１３】
2018183076.tif 000015
【図１４】
2018183076.tif 000016
【図１５】
2018183076.tif 000017